(57)【要約】【課題】乾燥ダクトの吹き出し口が洗浄水の残りや汚物等で汚れ難く、乾燥ダクトから人体局部に向って風を効率的に送風することができる人体局部洗浄装置を提供すること。【解決手段】使用者が着座する便座２と、便座２を回動自在に支持する本体部１ａと、本体部１ａに収納され、便座２に着座した使用者の人体局部を洗浄する場合、本体部１ａの幅方向の中央部から突出して人体局部に洗浄水を噴出する第１及び第２のノズル５，６と、第１及び第２のノズル５，６の横に配置され、人体局部の洗浄後に人体局部を乾燥させる場合、本体部１ａから斜めに突出して人体局部に送風する乾燥ダクト４と、を備え、乾燥ダクト４は、乾燥ダクト４の先端部から上方に向けて送風を行う第１吹き出し口４ａを有するとともに、同先端部の側部に第２吹き出し口４ｂを有している。【選択図】図３
2010024754.tif 000002
【特許請求の範囲】
【請求項１】
使用者が着座する便座と、
前記便座を回動自在に支持する本体部と、
該本体部に収納され、前記便座に着座した使用者の人体局部を洗浄する場合、前記本体部の幅方向の中央部から突出して該人体局部に洗浄水を噴出するノズルと、
該ノズルの横に配置され、前記人体局部の洗浄後に該人体局部を乾燥させる場合、前記本体部から突出して前記人体局部に送風する乾燥ダクトと、
を備えた人体局部洗浄装置において、
前記乾燥ダクトは、該乾燥ダクトの先端部から上方に向けて送風を行う第１吹き出し口を有するとともに、前記先端部の側部に第２吹き出し口を有することを特徴とする人体局部洗浄装置。
【請求項２】
前記第１吹き出し口と前記第２吹き出し口の間に、両者を分離するブリッジ部がある、ことを特徴とする請求項１に記載の人体局部洗浄装置。
【請求項３】
前記第１吹き出し口と前記第２吹き出し口が連続していることを特徴とする請求項１に記載の人体局部洗浄装置。
【請求項４】
前記本体部に収納された前記乾燥ダクトと前記ノズルが突出する前方に、前記本体部に対して回動自在に設けられた統合シャッターを備え、該統合シャッターは、前記乾燥ダクト又は前記ノズルの突出により開き、前記乾燥ダクトが収納される場合には、前記ノズルで前記統合シャッターを開状態にしたまま前記乾燥ダクトの収納が行われることを特徴とする請求項１〜３のいずれか一項に記載の人体局部洗浄装置。
【発明の詳細な説明】
【技術分野】
【０００１】
本発明は、人体局部洗浄装置に関し、特に、人体局部洗浄装置の乾燥ダクト、及び乾燥ダクト及びノズルを保護するシャッターに関する。
【背景技術】
【０００２】
特許文献１には、乾燥ダクトを便器内に突出させ、該乾燥ダクトの先端部から温風を人体局部に向かって吹き出す人体局部洗浄装置が開示されている。乾燥ダクトにおいて、温風の吹き出し口は、便器内に突出自在な先端部の上面に形成されている。
【０００３】
【特許文献１】特開昭６０−２１５９３５号公報（第１図、第３図参照）
【発明の開示】
【発明が解決しようとする課題】
【０００４】
一般的に、人体局部洗浄装置は、乾燥ダクトだけではなく、便器内に突出して洗浄水を人体局部に噴射するノズルを有している。ノズルは便器の幅方向中央に配置され、乾燥ダクトはノズルの側方に配置される。よって、温風を人体局部に当てるには、乾燥ダクトを便器内の幅方向中央に向かって大きく突出させて、人体局部に近接させる必要がある。これによって、乾燥ダクトの吹き出し口が、洗浄水の残りや汚物によって、汚染され易くなるという問題が生じる。
【０００５】
また、ユーザに十分な乾燥感を与えるため、乾燥ダクトの先端上面で開口する吹き出し口の開口面積を大きくすると、余計に上記問題が生じる。
【０００６】
しかし、吹き出し口の汚染を回避するため、人体局部から余りに離れた位置から、温風を吹き出した場合には、ユーザに十分な乾燥感を与えることができないという問題が生じる。
【０００７】
本発明の目的は、乾燥ダクトの吹き出し口が洗浄水の残りや汚物等で汚れ難く、乾燥ダクトから人体局部に向って風を効率的に送風することができる人体局部洗浄装置を提供することである。また、本発明の別の目的は、乾燥ダクトやノズルの汚れを防止しつつ、乾燥ダクトとの干渉が防止されたシャッターを備える人体局部洗浄装置を提供することである。
【課題を解決するための手段】
【０００８】
本発明は、第１の視点において、使用者が着座する便座と、前記便座を回動自在に支持する本体部と、該本体部に収納され、前記便座に着座した使用者の人体局部を洗浄する場合、前記本体部の幅方向の中央部から突出して該人体局部に洗浄水を噴出するノズルと、該ノズルの横に配置され、前記人体局部の洗浄後に該人体局部を乾燥させる場合、前記本体部から突出して前記人体局部に送風する乾燥ダクトと、を備えた人体局部洗浄装置において、前記乾燥ダクトは、該乾燥ダクトの先端部から上方に向けて送風を行う第１吹き出し口を有するとともに、前記先端部の人体局部側の側部に第２吹き出し口を有する人体局部洗浄装置を提供する。
【発明の効果】
【０００９】
（１）本発明によれば、乾燥ダクト先端部の側部にも、第２吹き出し口を形成したことにより、乾燥ダクト先端部の上部に形成されている第１吹き出し口の開口を過度に拡大しなくても、ユーザに十分な乾燥感を与えることができる十分な風量が人体局部に導入され、又第１吹き出し口が、洗浄水の残りや汚物で汚染されることが防止される。
（２）洗浄水を噴射するノズルとの関係上、乾燥ダクトから吹き出される流れは人体局部から逸れ易い。本発明によれば、乾燥ダクト先端部の側部にも吹き出し口を形成したことにより、この第２吹き出し口を風が通ることによって生じるエジェクター効果によって、第１吹き出し口から出る風の流れが人体局部に向かって誘導され、効率的な送風が実行される。
（３）乾燥ダクトから吹き出される風が人体局部に集中して当たるため、乾燥ダクトの突出量を短縮して、人体局部と乾燥ダクトの吹き出し口との間の距離を十分に確保することができる。これによって、乾燥ダクトが汚れ難くなる。また、乾燥ダクトが小型化できるため、乾燥ダクトを収容する乾燥ユニットもコンパクト化でき、レイアウトの自由度が向上する。
（４）本発明の統合シャッターによれば、ノズルを保護するシャッターと、乾燥ダクトを保護するシャッターが共通化されていることにより、部品数が削減され、人体局部洗浄装置がサイズダウンされる。また、ノズルによって、統合シャッターと吹き出し口の干渉を防止することができる。
【発明を実施するための最良の形態】
【００１０】
本発明の好ましい実施の形態によれば、前記第１吹き出し口と前記第２吹き出し口の間に、両者を分離するブリッジ部がある。この形態によれば、上述のエジェクター効果が高められ、第１吹き出し口から出る風の流れが人体局部に向かって集中的に誘導される。
【００１１】
本発明の好ましい実施の形態によれば、前記第１吹き出し口と前記第２吹き出し口が連続している。この形態によれば、吹き出し口の汚れを防止しながら、風量を拡大することができる。
【００１２】
本発明の好ましい実施の形態に係る人体局部洗浄装置は、乾燥ダクト及びノズルを出没させるための駆動手段、例えば、モータ及びラックアンドピニオンから構成される機構をそれぞれ有する。
【００１３】
本発明の好ましい実施の形態に係る人体局部洗浄装置は、前記乾燥ダクト及び前記ノズルの収納時には該乾燥ダクト及び該ノズルの先端を覆い、前記乾燥ダクトないし前記ノズルの突出時には開く、開閉自在な統合シャッターと、前記便器内に出没自在であり、突出している前記乾燥ダクトが没入する際、前記統合シャッターが前記上部ないし第２吹き出し口に引っ掛からないよう、該統合シャッターを支持してその開放状態を維持する支持手段と、を有する。この統合シャッターによれば、乾燥ダクトとノズルを汚れから保護する開閉シャッターが共通化されて部品数が削減される。また、統合シャッターと乾燥ダクトの吹き出し口との干渉は、出没自在な支持手段、好ましくは、ノズルが、乾燥ダクトが没入ないし収納される際、統合シャッターを開放状態で支持することによって回避される。この支持手段は、乾燥ダクトを没入ないし収納する際、統合シャッターが、乾燥ダクトの吹き出し口に引っ掛かる現象を防止する。特に、この支持手段は、吹き出し口を乾燥ダクト先端部の側部に形成した場合、この側部の吹き出し口と上部の吹き出し口の間に、統合シャッターが引っ掛かる現象を防止する上で有効である。
【００１４】
本発明の好ましい実施の形態に係る人体局部洗浄装置、特に、好ましい統合シャッターの制御方法においては、乾燥ダクトを突出させる際、統合シャッターが第１又は第２のノズルによって押し上げられ、乾燥ダクトを収納する際、統合シャッターが第１又は第２のノズルによって支持されていることにより、乾燥ダクトの収納時、特に、その吹き出し口と統合シャッターの干渉が防止される。
【００１５】
本発明の好ましい実施の形態に係る人体局部洗浄装置、特に、好ましい統合シャッターの制御方法においては、乾燥ダクトを突出させる際、統合シャッターが乾燥ダクトと、第１又は第２のノズルの一方によって押し上げられ、乾燥ダクトを収納する際、統合シャッターが前記一方のノズルによって支持されていることにより、乾燥ダクトの収納時、特に、その吹き出し口と統合シャッターの干渉が防止される。
【００１６】
本発明の好ましい実施の形態に係る人体局部洗浄装置、特に、好ましい統合シャッターの制御方法においては、乾燥ダクトを突出させる際、統合シャッターが乾燥ダクトによって押し上げられ、その後、第１又は第２のノズルの一方が突出して、統合シャッターを支持し、この支持状態で乾燥ダクトが収納されることにより、乾燥ダクトの収納時、特に、その吹き出し口と統合シャッターの干渉が防止される。
【実施例１】
【００１７】
以下、図面を参照して本発明の一実施例を説明する。図１は、本発明の実施例１に係る人体局部洗浄装置が搭載された便座ないし便器の外観図である。図２は、本発明の実施例１に係る人体局部洗浄装置の詳細図であり、図３は、図２の動作図である。
【００１８】
図１〜図３を参照すると、人体局部洗浄装置１は、便器３の後側上部に搭載されている。人体局部洗浄装置１は、使用者が着座する便座２と、便座２を回動自在に支持する本体部１ａと、本体部１ａに収納され、便座２に着座した使用者の人体局部を洗浄する場合、本体部１ａの幅方向の中央部から突出して人体局部に洗浄水を噴出する第１及び第２のノズル５，６と、第１及び第２のノズル５，６の横に配置され、人体局部の洗浄後に人体局部を乾燥させる場合、本体部１ａから人体局部に近づく方向に斜めに突出して人体局部に送風する乾燥ダクト４と、を備えている。
【００１９】
乾燥ダクト４は、外套１５に内蔵され、外套１５にはさらに、温風を生成するためのヒータ１５ａと、風ないし温風を吹き出させるためのファン１５ｂが内蔵されている。乾燥ダクト駆動装置１３は、不図示のモータ及びそれに連結されたラックアンドピニオン１３ａから構成されている。モータが回転しピニオンがラック上を回動して、ピニオン軸に接続された乾燥ダクト４がリニアに移動することにより、乾燥ダクト４は、外套１５内をストロークして便器３内に出没する。
【００２０】
さらに、人体局部洗浄装置１は、本体部１ａに収納された乾燥ダクト４と第１及び第２のノズル５，６が突出する前方に、本体部１ａに対して回動自在に設けられた統合シャッター７を備えている。統合シャッター７は、乾燥ダクト４又は第１若しくは第２のノズル５，６の突出により開き、乾燥ダクト４が収納される場合には、第１又は第２のノズル５，６で統合シャッター７を開状態にしたまま乾燥ダクト４の収納が行われる。統合シャッター７は、ヒンジ７ａにより開閉自在に人体局部洗浄装置１に取り付けられている。
【００２１】
図４は、図２に示した乾燥ダクトの部分図である。図３及び図４を参照すると、乾燥ダクト４は、乾燥ダクト４の先端部から上方に向けて送風を行う第１吹き出し口４ａを有するとともに、同先端部の人体局部側の側部に第２吹き出し口４ｂを有している。さらに、第１吹き出し口４ａと第２吹き出し口４ｂの間に、両者を分離するブリッジ部４ｃが形成されている。このブリッジ部４ｃがあるため、乾燥ダクト４の収納時、乾燥ダクト４が統合シャッター７にひっかかりにくくされている。
【００２２】
本発明の実施例１に係る人体局部洗浄装置、特に、乾燥ダクト４の機能について説明する。ユーザが、人体局部洗浄装置１に、乾燥ダクト４から人体局部に向かって風ないし温風を送風するよう指令を送ると、乾燥ダクト４の先端部は便器３の幅方向中央に向かって斜めに突出し、ヒータ１５ａないしファン１５ｂによって生成された風ないし温風が第１吹き出し口４ａ及び第２吹き出し口４ｂから送出される。
【００２３】
特に、図３を参照すると、第１吹き出し口４ａからの流れＦａは、第２吹き出し口４ｂからの流れＦｂによるエジェクター効果により、人体局部に向かって誘導され、人体局部から逸れる流れＦｃはきわめて少なくなる。このため、乾燥ダクト４の突き出し量を小さくしても、人体局部に十分な風を効率的に当てることができる。このエジェクター効果は、第２吹き出し口４ｂの方が第１吹き出し口４ａよりも小さいことにより、第２吹き出し口４ｂからの吹き出し速度が速くなり、回りの空気を引き込み易くなるため発生すると考えられる。発明者らが、試験したところ、第２吹き出し口４ｂを設けた乾燥ダクト４によれば、それを設けていない乾燥ダクトに比べて、風向が改善され、人体局部に風が当たることが確認された。
【００２４】
また、乾燥ダクト４の突き出し量を小さくすることができるため、乾燥ダクト４の収納スペースを削減することができる。この結果、人体局部洗浄装置のレイアウトの自由度が増加する。
【実施例２】
【００２５】
本発明の実施例２に係る乾燥ダクトを説明する。なお、本実施例においては、実施例２の乾燥ダクトが、前記実施例１の乾燥ダクトと相違する点について、主として説明し、同様の点については、前記実施例１の記載を参照するものとする。
【００２６】
図５は、本発明の実施例２に係る乾燥ダクトの外観図である。図５を参照すると、乾燥ダクト４において、第１吹き出し口４ａと第２吹き出し口４ｂが連続して形成されている。この形態によれば、実施例１と同様に、吹き出し口４ａの汚れを防止しながら、第２吹き出し口４ｂによって人体局部に当たる有効な風量を拡大することができる。また、第１吹き出し口４ａと第２吹き出し口４ｂが連続して形成されているため、複雑な成型が不要となり、安価に製造できる。
【実施例３】
【００２７】
本発明の実施例３に係る人体局部洗浄装置、特に、統合シャッター及びその支持手段について詳細に説明する。図３及び図５を参照すると、人体局部洗浄装置１は、図１に示した本体部１ａに収納された乾燥ダクト４と第１及び第２のノズル５，６が突出する前方に、本体部１ａに対して回動自在に設けられた統合シャッター７を備えている。統合シャッター７は、乾燥ダクト４又は第１若しくは第２のノズル５，６の突出により開き、乾燥ダクト４が収納される場合には、第１又は第２のノズル５，６で統合シャッター７を開状態にしたまま乾燥ダクト４の収納が行われる。統合シャッター７は、ヒンジ７ａにより開閉自在に人体局部洗浄装置１に取り付けられている。統合シャッター７は、乾燥ダクト４及びノズル５，６の収納時には乾燥ダクト４及びノズル５，６の先端を覆い、乾燥ダクト４ないしノズル５，６の突出時には開くものである。なお、以下の説明において、人体局部洗浄装置１は、便器３内に突出している乾燥ダクト４が没入ないし収納される際、統合シャッター７が、第１又は第２吹き出し口４ａ，４ｂに引っ掛からないよう、統合シャッター７を支持してその開放状態を維持する手段として、第１のノズル５を有している。なお、この手段を第２のノズル６としてもよい。
【００２８】
図６は、本発明の実施例３に係る人体局部洗浄装置において、統合シャッターの制御構成を示すブロック図である。図６を参照すると、図２に示した人体局部洗浄装置１は、ユーザのオンオフ操作に応じて、乾燥ダクト４、第１及び第２のノズル５，６をそれぞれ作動させるための信号をそれぞれ出力する乾燥スイッチ１２ａ、第１及び第２の洗浄スイッチ１２ｂ，１２ｃと、スイッチ１２ａ〜１２ｃからそれぞれ出力された信号が入力され、入力された信号に応じた駆動信号を出力する制御装置１１と、制御装置１１から出力された駆動信号に応じて乾燥ダクト４を図１に示した便器３内に出没させる乾燥ダクト駆動装置１３と、制御装置１１から出力された駆動信号に応じて第１及び第２のノズル５，６を便器３内に出没させる第１及び第２のノズル駆動装置１４ａ，１４ｂと、を有している。なお、第１及び第２のノズル駆動装置１４ａ，１４ｂは、上述した乾燥ダクト駆動装置１３と同様に、モータ及びラックアンドピニオンから構成することができる。
【００２９】
次に、以上説明した統合シャッター７等の制御方法を説明する。図７は、図６に示した統合シャッターの制御方法を説明するフローチャートである。図８は、図６に示した統合シャッターの別の制御方法を説明するフローチャートである。図９は、図６に示した統合シャッターのさらに別の制御方法を説明するフローチャートである。
【００３０】
図７を参照して、ステップ１で、ユーザが乾燥スイッチ１２ａをオンすると、ステップ２で、制御装置１１は、第１のノズル駆動装置１４ａを駆動させて、統合シャッター７の支持手段である第１のノズル５を突出させる。第１のノズル５が統合シャッター７を押し上げることにより、統合シャッター７が開く。
【００３１】
ステップ３で、制御装置１１は、乾燥ダクト駆動装置１３を駆動させて、乾燥ダクト４を突出させる。このとき、第１のノズル５が統合シャッター７を押し上げていることにより、乾燥ダクト４、特に、上部及び第２吹き出し口４ａ，４ｂが統合シャッター７に引っ掛かる現象が防止される。
【００３２】
ステップ４で、制御装置１１は、ヒータ１５ａ及びファン１５ｂをオンさせ、乾燥ダクト４から人体局部に向けて温風を吹き出させる。ステップ５で、ユーザが乾燥スイッチ１２ａをオフするか、制御装置１１が、乾燥スイッチ１２ａがオンされてから一定時間経過したと判定すると、制御装置１１は、ステップ６で、ヒータ１５ａ及びファン１５ｂをオフさせる。
【００３３】
ステップ７で、制御装置１１は、乾燥ダクト駆動装置１３を駆動させて、乾燥ダクト４を収納ないし没入させる。このとき、第１のノズル５が突出して統合シャッター７を押し上げていることにより、統合シャッター７を開状態にしたまま乾燥ダクト４の収納が行われる。これによって、乾燥ダクト４、特に、第１及び第２吹き出し口４ａ，４ｂが統合シャッター７に引っ掛かる現象が防止される。
【００３４】
ステップ８で、乾燥ダクト４の収納後、制御装置１１は、第１のノズル駆動装置１４ａを駆動させて、第１のノズル５を収納ないし没入させる。これに伴い、統合シャッター７も閉じられる。
【００３５】
図８に示す別の制御方法においては、制御装置１１は、図７に示したステップ２とステップ３を同時に実行させ、乾燥ダクト４及び第１のノズル５を同時に突出させて、両方で統合シャッター７を押し上げて開かせる。図８の制御方法において、その他のステップは、図７に示したステップと同様である。
【００３６】
図９に示すさらに別の制御方法においては、制御装置１１は、図７に示したステップ３をステップ２よりも先に実行させることにより、乾燥ダクト４を突出させて、乾燥ダクト４で統合シャッター７を押し上げて開かせる。次に、制御装置１１は、統合シャッター７の閉止時に備え、ステップ４の動作と同時或いは前後して、第１のノズル５を突出させて、統合シャッター７を支持させる。図９の制御方法において、その他のステップは、図７に示したステップと同様である。
【実施例４】
【００３７】
本発明の実施例１に係る乾燥ダクトの変形例である、本発明の実施例４に係る乾燥ダクトを説明する。なお、本実施例においては、実施例４の乾燥ダクトが、前記実施例１の乾燥ダクトと相違する点について、主として説明し、同様の点については、前記実施例１の記載を参照するものとする。
【００３８】
図１０は、本発明の実施例４に係る乾燥ダクトの外観図である。図１０を参照すると、実施例４に係る乾燥ダクト４の第１吹き出し口４ａは、乾燥ダクト４の前方側の開口縁４ｄ、人体局部側の開口縁４ｅ及びそれら開口縁４ｄ，４ｅをつなぐ傾斜した開口縁４ｆからなり、人体局部側を大きく開口させた三角形形状となっている。これにより、風向きを人体局部側に向けることができるため、乾燥ダクト４の人体局部側に突出する角度も抑えることができ、人体局部洗浄装置１（図２等参照）の内部に収納される機器のレイアウト設計の自由度を高めることができる。
【産業上の利用可能性】
【００３９】
本発明は、便座ないし便器に搭載され、人体の一又は複数の局部に洗浄水を噴射し、又温風等を送風する人体局部洗浄装置に適用される。
【図面の簡単な説明】
【００４０】
【図１】本発明の実施例１に係る人体局部洗浄装置が搭載された便座ないし便器の外観図である。
【図２】本発明の実施例１に係る人体局部洗浄装置の詳細図である。
【図３】図２の動作図である。
【図４】図２に示した乾燥ダクトの部分図である。
【図５】本発明の実施例２に係る乾燥ダクトの外観図である。
【図６】本発明の実施例３に係る人体局部洗浄装置において、統合シャッターの制御構成を示すブロック図である。
【図７】図６に示した統合シャッターの制御方法を説明するフローチャートである。
【図８】図６に示した統合シャッターの別の制御方法を説明するフローチャートである。
【図９】図６に示した統合シャッターのさらに別の制御方法を説明するフローチャートである。
【図１０】本発明の実施例４に係る乾燥ダクトの外観図である。
【符号の説明】
【００４１】
１  人体局部洗浄装置
１ａ  本体部
２  便座
３  便器
４  乾燥ダクト
４ａ  第１吹き出し口
４ｂ  第２吹き出し口
４ｃ  ブリッジ部
４ｄ  前方側の開口縁
４ｅ  人体局部側の開口縁
４ｆ  傾斜した開口縁
５  第１のノズル
６  第２のノズル
７  統合シャッター
７ａ  ヒンジ
１１  制御装置
１２ａ  乾燥スイッチ
１２ｂ  第１の洗浄スイッチ
１２ｃ  第２の洗浄スイッチ
１３  乾燥ダクト駆動装置
１３ａ  ラックアンドピニオン
１４ａ，１４ｂ  第１及び第２のノズル駆動装置
１５  外套
１５ａ  ヒータ
１５ｂ  ファン
【図１】
2010024754.tif 000003
【図２】
2010024754.tif 000004
【図３】
2010024754.tif 000005
【図４】
2010024754.tif 000006
【図５】
2010024754.tif 000007
【図６】
2010024754.tif 000008
【図７】
2010024754.tif 000009
【図８】
2010024754.tif 000010
【図９】
2010024754.tif 000011
【図１０】
2010024754.tif 000012